(57)【要約】【課題】紙幣投入口からバールのような道具類を差し込んで紙幣搬送通路等をこじ開けることによる紙幣の盗難を、比較的簡単な手段を講じることによって確実に防止できるように工夫した紙幣用金庫の取付装置を提供する。【解決手段】料金精算機等の本体ボックス１の内部に取付ける紙幣用金庫４を、外部より必要限度以上の力が加わると、その取付状態が容易に外れてしまうように構成したボルト又はネジ１１と、ネジ抜け止めワッシャー１２の組合せ等から成る簡易取付手段を介して取付ける。【選択図】      図２
2004295768.tif 000002
【特許請求の範囲】
【請求項１】
料金精算機や自動販売機等の本体ボックスに設けた紙幣投入口から投入された売上金等の紙幣を回収して収納する紙幣用金庫を、本体ボックス内に設けた金庫取付部に取付ける取付装置であって、
上記本体ボックス内部の金庫取付部に対して、上記の紙幣用金庫を、外部より必要限度以上の力が紙幣用金庫に加わると、その取付状態が容易に外れてしまう簡易取付手段を介して取付けたことを特徴とする紙幣用金庫の取付装置。
【請求項２】
簡易取付手段が、取付用のボルト又はネジと、これ等ボルト又はネジの溝に内径部を喰い込ませて取付状態を維持するネジ抜け止めワッシャーとによって構成されていることを特徴とする請求項１に記載の紙幣用金庫の取付装置。
【請求項３】
ネジ抜け止めワッシャーの内径部をネジ溝に喰い込ませることにより、金庫取付部への紙幣用金庫の取付状態を維持するボルト又はネジの先端部に、運搬時用ナットを装着して上記の取付状態を締付け固定できるように構成したことを特徴とする請求項２に記載の紙幣用金庫の取付装置。
【請求項４】
簡易取付手段が、リベット構造のプラスチック製止め具を用いて構成されていることを特徴とする請求項１に記載の紙幣用金庫の取付装置。
【請求項５】
簡易取付手段が、紙幣用金庫を金庫取付部に対して弾性的圧力によって取付けることができる弾性部材であることを特徴とする請求項１に記載の紙幣用金庫の取付装置。
【請求項６】
簡易取付手段による紙幣用金庫の取付位置が、紙幣用金庫の中心よりも前記紙幣投入口に近い前部側に設けられていることを特徴とする請求項１、２、３、４又は５に記載の紙幣用金庫の取付装置。
【請求項７】
紙幣用金庫の中心よりも後部側にワイヤーや紐等から成る吊下げ部材の一端を取付け、この吊下げ部材の他端を、上記紙幣用金庫に対する取付け位置よりも更に後部側に設けた本体ボックス側の取付部に取付けたことを特徴とする請求項１、２、３、４、５又は６に記載の紙幣用金庫の取付装置。
【発明の詳細な説明】
【０００１】
【発明の属する技術分野】
本発明は、各種の料金精算機や自動販売機等に用いる紙幣用金庫に関するものであって、具体的には、紙幣用金庫を料金精算機や自動販売機等の本体ボックス内に取付ける取付装置に関するものである。
【０００２】
【従来の技術】
従来の一般的な紙幣用金庫は、例えば特許文献１に見られるように、紙幣挿入口（紙幣投入口）の内側に設けられている。
【０００３】
【特許文献１】
実開平１−１６４５８６号公報
【０００４】
添付した図面のうち、図１１は上記特許文献１に記載されている従来例の構成を説明したものであって、図中、１は料金精算機や自動販売機等の本体ボックス、２は前面パネル板、３は紙幣投入口、符号４で全体的に示したのは紙幣受入部４Ｋと、紙幣識別部４Ｔと、紙幣用金庫部４Ｓから成る紙幣用金庫であって、紙幣用金庫４の全体は上下の取付用ブラケット１Ａ，１Ｂの先端部間に、前記紙幣投入口３の内側に位置を合せてボルト１１…とナット１１Ａによって締付け固定されている。
【０００５】
【発明が解決しようとする課題】
以上の如く構成した従来の装置に於いて、紙幣投入口３から挿入された紙幣は、図１１に示すように紙幣搬送通路４Ｒを通って紙幣用金庫部４Ｓに送り込まれる仕組に成っている。従って、図示のように紙幣投入口３からバールＢＬのような細長い道具類を紙幣搬送通路４Ｒに差し込んで、この通路４Ｒをこじ開けて広げることによって、外部よりピンセット等を用いて紙幣用金庫部４Ｓ内に収められている紙幣（売上金）を容易に盗み出すことができる問題があった。
【０００６】
本発明は、上述した問題点を解決するために成されたものであって、その技術的課題は、紙幣投入口からバールのような道具類を差し込んで紙幣搬送通路等をこじ開けることによる紙幣の盗難を、比較的簡単な手段を講じることによって確実に防止できるように工夫した紙幣用金庫の取付装置を提供することである。
【０００７】
【課題を解決するための手段】
上記の技術的課題を解決するために本発明で講じた手段は以下の如くである。
【０００８】
（１）  前記請求項１に記載の紙幣用金庫の取付装置は、料金精算機や自動販売機等の本体ボックスに設けた紙幣投入口から投入された売上金等の紙幣を回収して収納する紙幣用金庫を、本体ボックス内に設けた金庫取付部に取付ける取付装置であって、上記本体ボックス内部の金庫取付部に対して、上記の紙幣用金庫を、外部より必要限度以上の力が紙幣用金庫に加わると、その取付状態が容易に外れてしまう簡易取付手段を介して取付けたことを特徴とするものである。
【０００９】
（２）  前記請求項２に記載の紙幣用金庫の取付装置は、請求項１に記載の紙幣用金庫の取付装置において、簡易取付手段が、取付用のボルト又はネジと、これ等ボルト又はネジの溝に内径部を喰い込ませて取付状態を維持するネジ抜け止めワッシャーとによって構成されていることを特徴とするものである。
【００１０】
（３）  前記請求項３に記載の紙幣用金庫の取付装置は、請求項２に記載の紙幣用金庫の取付装置において、ネジ抜け止めワッシャーの内径部をネジ溝に喰い込ませることにより、金庫取付部への紙幣用金庫の取付状態を維持するボルト又はネジの先端部に、運搬時用ナットを装着して上記の取付状態を締付け固定できるように構成したことを特徴とするものである。
【００１１】
（４）  前記請求項４に記載の紙幣用金庫の取付装置は、請求項１に記載の紙幣用金庫の取付装置において、簡易取付手段が、リベット構造のプラスチック製止め具を用いて構成されていることを特徴とするものである。
【００１２】
（５）  前記請求項５に記載の紙幣用金庫の取付装置は、請求項１に記載の紙幣用金庫の取付装置において、簡易取付手段が、紙幣用金庫を金庫取付部に対して弾性的圧力によって取付けることができる弾性部材であることを特徴とするものである。
【００１３】
（６）  前記請求項６に記載の紙幣用金庫の取付装置は、請求項１、２、３、４又は５に記載の紙幣用金庫の取付装置において、簡易取付手段による紙幣用金庫の取付位置が、紙幣用金庫の中心よりも前記紙幣投入口に近い前部側に設けられていることを特徴とするものである。
【００１４】
（７）  前記請求項７に記載の紙幣用金庫の取付装置は、請求項１、２、３、４、５又は６に記載の紙幣用金庫の取付装置において、紙幣用金庫の中心よりも後部側にワイヤーや紐等から成る吊下げ部材の一端を取付け、この吊下げ部材の他端を、上記紙幣用金庫に対する取付け位置よりも更に後部側に設けた本体ボックス側の取付部に取付けたことを特徴とするものである。
【００１５】
上記（１）で述べた手段によれば、紙幣投入口からバール等の道具類を差し込んでこじ開けようとすると、紙幣用金庫に必要限度以上の外力が加わるため、この外力を受けて簡易取付手段が外れて本体ボックス内の紙幣用金庫が後退又は落下する。従って、バール等で広くこじ開けた紙幣投入口及び紙幣搬送通路からピンセット等を差し込んでも、紙幣用金庫内の紙幣を摘み出すことができなくなるので、売上金等の盗難を防止することができる。
【００１６】
上記（２）で述べた手段によれば、バール等の挿入によって紙幣用金庫に必要限度以上の外力が加わると、ネジ抜け止めワッシャーがボルト又はネジから抜けて取付けが外れるため、本体ボックス内の紙幣用金庫が後退又は落下して、紙幣の盗難を防止することができる。
【００１７】
上記（３）で述べた手段によれば、本発明を実施した料金精算機や自動販売機等の搬送や移動に際して、紙幣用金庫を取付けたボルト又はネジに運搬用ナットを装着して締付け固定することにより、運搬時や移動時の振動による紙幣用金庫の後退や脱落を防止することができる。
【００１８】
上記（４）及び（５）で述べた手段においても、バール等の挿入によって紙幣用金庫に対して必要限度以上の外力が加わった場合に、プラスチック製止め具による取付けや、弾性部材による取付けが外れて、紙幣用金庫が後退又は落下するため、ピンセット等による紙幣の盗難を防止することができる。
【００１９】
上記（６）で述べた手段によれば、前記各種簡易取付手段による紙幣用金庫の取付装置が、紙幣用金庫の中心位置よりも前側、即ち、紙幣投入口に近い前面側に設けられているため、バール等の挿入によって紙幣用金庫に必要限度以上の外力が加わった場合に、上記各簡易取付手段による取付けが簡単に外れて、紙幣用金庫を速やかに後退又は脱落させることを可能にする。
【００２０】
上記（７）で述べた手段によれば、外力によって紙幣用金庫の取付けが外れると、吊下げ部材の取付け位置が紙幣用金庫の中心よりも後方にある関係で、バール等の挿入によって紙幣用金庫が前側から外力を受けて押された場合に、上記各簡易取付手段による取り付けが簡単に外れ、また、この吊下げ部材の吊下げ支点が上記取付け位置よりも更に後方にある関係で、紙幣用金庫は本体ボックス内に於いて当初の取付位置よりも後方に移動した状態（紙幣投入口より離間する状態）で、而かも、その前面側を斜め下方を向けた状態で宙吊り状態に成るため、外部より紙幣用金庫を捕らえにくくして紙幣の盗難を防止すると共に、紙幣用金庫の落下を防止できるため、落下による紙幣用金庫の破損や、破損に基づく紙幣の盗難を防止することができる。
【００２１】
【発明の実施の形態】
以下に、上述した本発明に係る紙幣用金庫の取付装置の実施の形態を図面と共に説明すると、図１は本発明を実施した料金精算機の一例を示した正面図であって、図中、１は料金精算機の本体ボックス、２は前面パネル板、３は前面パネル板２に取付けたプレート３Ｘに設けた紙幣投入口（紙幣挿入口）、５はチケット等の挿入口、６は料金等の案内表示部、７はコイン投入口、８はインターホン、９は釣銭や領収書等の取出口であって、これ等前面パネル板２に設けた各部材の種類や形成位置等は、実施の一例であることは勿論である。
【００２２】
図２と図３は上記本体ボックス１の内部に実施されている本発明の構成を説明した側面図と平面図、図４は図２のＸ視部を拡大したものであって、これ等の図面及び上記図１に於いて、符号４で全体的に示したのは紙幣用金庫で、この金庫４は前記図１１で示した従来例と同様に一体的に連設された紙幣受入部４Ｋと、紙幣識別部４Ｔと、投入された紙幣ＳＫを収納する紙幣用金庫部４Ｓとによって構成されていて、図示はしていないが紙幣受入部４Ｋと紙幣識別部４Ｔには、紙幣投入口３から投入（挿入）された紙幣ＳＫを受入れて搬送する紙幣搬送通路（図１１参照）が設けられている。
【００２３】
３Ａは前記紙幣投入口３の内側面と、これに対向させた紙幣受入部４Ｋの受入口（図示省略）の間に介在したスペーサ（パッキン）、１Ａ，１Ｂは上記本体ボックス１の内部に上下に間隔をあけて取付けた上記紙幣用金庫４を取付けるための上下のブラケットを示す。４Ｔａ，４Ｔａは上記紙幣用金庫４の中心部よりも前部側の上下面、具体的には紙幣識別部４Ｔの前面部側の上下面に突設した取付片、１Ａａ，１Ｂａは上下のブラケット１Ａ，１Ｂの先端部を下側及び上側に略Ｌ字状に屈曲して形成した取付板、１１，１１はこれ等上下の取付板１Ａａ，１Ｂａに挿通した先端部側に上記の取付片４Ｔａ，４Ｔａを取付けることによって、上下のブラケット１Ａ，１Ｂの間に上記一体化された紙幣用金庫４を取付けるボルト又はネジであって、これ等のボルト又はネジ１１は、いずれも図示したようにそのネジ先を紙幣投入口３に近い前面側より、本体ボックス１の奥側に向けた状態に装着して、上記紙幣用金庫４の取付けを行う仕組に成っている。
【００２４】
１２，１２は上記本体ボックス１の奥側に向けて突出するボルト又はネジ１１，１１に装着して、その内径部１２Ｈ（図７参照）を各ボルト又はネジ１１のネジ溝に係合させることによって、ボルト又はネジ１１，１１に対する上記紙幣用金庫４の取付状態を簡易的に支持する抜け止めワッシャーである。
【００２５】
請求項２に記載のこの抜け止めワッシャー１２は、請求項１に記載の簡易取付手段の一例を成すものであって、紙幣ＳＫの受入れやその識別、或は、搬送を行う通常の動作時には、上記ボルト又はネジ１１，１１による紙幣用金庫４の取付状態をこのワッシャー１２が維持するが、図５や図１１の如くバールＢＬのような道具類が紙幣投入口３から挿入されて、紙幣投入口３の方向から奥側に向けて必要限度以上の外力が加わると、図５に示す様に上記の抜け止めワッシャー１２，１２がボルト又はネジ１１，１１から外れるため、紙幣用金庫４がボルト又はネジ１１，１１から外れて、取付状態が外れる仕組に成っている。
【００２６】
また、上記ボルト又はネジ１１と抜け止めワッシャー１２による紙幣用金庫４の簡易取付位置は、紙幣用金庫４の中心部よりも前側、即ち、紙幣投入口３に近い紙幣識別部４Ｔの前面側上下部分に設けられているため、上記紙幣投入口３側からの外力を受けると、抜け止めワッシャー１２が容易に抜けて、取付が簡単に外れるように成っている。
【００２７】
図４において１３はスペーサを示し、また、図２乃至図６に於いて１Ｒは本体ボックス１の内部に横方向に架設した支持部材を示す。更に図中、４Ｚは上記紙幣用金庫４に設けた取っ手、ＷＥは一端をこの取っ手４Ｚに取付け、他端を上記支持部材１Ｒの取付部１Ｈに取付けたワイヤー或は紐体等から成る吊下げ部材で、上記の取っ手４Ｚは紙幣用金庫４の中心部よりも奥側（本体ボックス１の奥側）に設けられ、更に、上記の取付部１Ｈは取っ手４Ｚの位置よりも更に奥側の位置に取付けられている。
【００２８】
従って、バールＢＬ等の挿入による外力によって、図５の如く抜け止めワッシャー１２がボルト又はネジ１１から抜けて紙幣用金庫４の取付けが外れると、図６に示すように紙幣用金庫４の全体が、ワイヤー等の吊下げ部材ＷＥによって紙幣受入部４Ｋ側を下に向けた状態で、而かも、当初の取付位置よりも本体ボックス１の奥側に移動した位置に宙吊り状態に吊下げられるため、紙幣用金庫４が捕らえにくくなって、紙幣投入口３からの紙幣ＳＫの抜き出しをより難しくすると共に、紙幣用金庫４の落下による破損を防止することができる。
【００２９】
図８に於いて、１６は前記請求項３に記載した運搬時用ナットであって、本発明を実施した料金精算機や販売機の運送時や移動時には、図示の如く抜け止めワッシャー１２を取付けたボルト又はネジ１１のネジ部にこのナット１４を装着して締付け固定することにより、運送時の振動等による外力によって、抜け止めワッシャー１２が抜けて紙幣用金庫４が外れる事故を防止することができる。
【００３０】
図９に於いて１４は、前記請求項４に記載されている略リベット構造のプラスチック製止め具で、同図（イ）はこの止め具１４を用いて紙幣用金庫４を本体ボックス１内の上下のブラケット１Ａ，１Ｂの取付板１Ａａ，１Ｂａの間に簡易取付けしている状態を示す。プラスチック製止め具１４は、同図（ロ）に示すように、上記の取付板１Ａａ，１Ｂａ等用の挟持部１４Ｂと受け部１４Ａを備えるものであつて、必要限度以上の外力を受けると受け部１４Ａが壊れて取付け状態が抜け出し、紙幣用金庫４の取付けが外れる仕組に成っている。
【００３１】
図１０に於いて１５は、前記請求項５に記載されている弾性部材であって、板バネやスプリング、或は、弾性を備えたプラスチック材等で構成されたこの弾性部材１５は、紙幣用金庫４をその弾性的な圧力によって紙幣投入口３の内側部分に簡易的に取付けておき、必要限度以上の外力が加わると、上記弾性圧力による簡易的な取付けを外して、紙幣用金庫４を本体ボックス１の奥側に後退移動、又は、脱落させる仕組に成っている。図中、１Ｅはガイドレール、１Ｆは弾性部材１５の取付壁を示す。
【００３２】
尚、図９（イ）と図１０には、外力によって簡易取付けが外れると、紙幣用金庫４を吊下げ部材ＷＥで吊下げて盗難を防止する構成が記載されていないが、これ等図９（イ）と図１０に示した紙幣用金庫４にも、図６に示したような吊下げ装置が実施可能であることは勿論である。
【００３３】
【発明の効果】
以上述べた次第で、本発明に係る紙幣用金庫の取付装置によれば、紙幣投入口からバール等の道具を差し込んでこじ開けようとすると、その外力によって紙幣用金庫の取付けが外れて、紙幣用金庫が後退したり、宙吊りになったり、或は、落下したりするため、紙幣用金庫内に収めた売上金等の盗難を防止できるものであって、構成が簡単で実施が容易である点と相俟って、各種の料金精算機や自動販売機等に実施して、まことに好適なものである。
【図面の簡単な説明】
【図１】本発明に係る紙幣用金庫の取付装置を実施した料金精算機の一例を示した正面図。
【図２】本発明に係る紙幣用金庫の取付装置の構成を説明した側面図。
【図３】本発明に係る紙幣用金庫の取付装置の構成を説明した平面図。
【図４】図２のＸ視部分の拡大図。
【図５】バールの挿入によって紙幣用金庫の取付けが外れた状態を説明した側面図。
【図６】取付けが外れて紙幣用金庫が宙吊りに成っている状態を説明した側面図。
【図７】本発明で用いる抜け止めワッシャーの一例を示した正面図。
【図８】本発明で用いる運搬時用ワッシャーの使用状態を説明した側面図。
【図９】（イ）は本発明で用いるプラスチック製止め具の使用例を説明した側面図、（ロ）はプラスチック製止め具の一例を示した側断面図。
【図１０】本発明で用いる弾性部材の一例とその使用例を説明した側面図。
【図１１】従来の紙幣用金庫の取付例を説明した側面図。
【符号の説明】
１              本体ボックス
１Ａ，１Ｂ      ブラケット
１Ｒ            支持部材
１Ｈ            取付部
ＷＥ            吊下げ部材
３              紙幣投入口（紙幣挿入口）
４              紙幣用金庫
４Ｚ            取っ手
１１            ボルト又はネジ
１２            抜け止めワッシャー
１４            プラスチック製止め具
１５            弾性部材
１６            運搬時用ナット
ＳＫ            紙幣
【図１】
2004295768.tif 000003
【図２】
2004295768.tif 000004
【図３】
2004295768.tif 000005
【図４】
2004295768.tif 000006
【図５】
2004295768.tif 000007
【図６】
2004295768.tif 000008
【図７】
2004295768.tif 000009
【図８】
2004295768.tif 000010
【図９】
2004295768.tif 000011
【図１０】
2004295768.tif 000012
【図１１】
2004295768.tif 000013